(57)【要約】  【課題】  封緘金具の使用をやめ、箱組立時の作業性と廃棄時の分別作業性や環境問題を解決し、底面に相当の荷重がかかっても箱が開くことが防止できる野菜用ノンステープルケースを提供する。  【解決手段】長さ面側の対向側板の下端に連設された底板形成用フラップ５，７は幅面側の対向側板の幅方向中央部において先端同士が互いに突合状態となる大きさに形成し、前記幅面側の対向側板の下端に連設された底板形成用フラップはショートフラップに形成する。ショートフラップは付け根の連設線と平行に罫線を形成すると共に、先端に中央凸部と左右凸部とを設ける。長さ面側の対向側板に連設した底板形成用フラップは、幅面側の対向側板の下端に連設した一対のショートフラップと重合する位置に、ショートフラップの先端に設ける左右凸部を係合させる切込孔と、中央凸部を係合させる切込孔とを設け、先に閉じる底板形成用フラップの切込孔に、中央凸部と左右凸部をそれぞれ係合する。【選択図】図１
0003146576.tif 000002
【実用新案登録請求の範囲】
【請求項１】
長さ面側の対向側板（１，３）と、幅面側の対向側板（２，４）と、これらの対向側板の下端にそれぞれ連設された底板形成用フラップ（５，７，６，８）と、同じくこれらの対向側板（１，３，２，４）の上端にそれぞれ連設された上蓋形成用フラップ（９，１１，１０，１２）とを備えて成る平面形状が矩形の厚紙製包装箱において、前記長さ面側の対向側板（１，３）の下端に連設された底板形成用フラップ（５，７）は幅面側の対向側板（２，４）の幅方向中央部において先端同士が、組立て時に互いに突合状態となる大きさに形成し、前記幅面側の対向側板（２，４）の下端に連設された底板形成用フラップ（６，８）は一対のショートフラップとして互いに突合できない大きさに形成し、かつ該ショートフラップは付け根の連設線と平行に罫線を形成すると共に、該ショートフラップの先端に中央凸部と左右凸部とを設け、前記長さ面側の対向側板（１，３）に連設した底板形成用フラップ（５，７）には、組立て時に前記ショートフラップ（６，８）と重合する位置に、ショートフラップの先端に設ける左右凸部を押入して係合させる切込みと、中央凸部を押入して係合させる切込みとを設け、先に閉じる底板形成用フラップ（７）の前記３つの切込みに、中央凸部と左右凸部をそれぞれ係合することで、先に閉じる長さ面側の底板形成用フラップ相互の突合線のゆがみと開きをなくし、収納する商品の脱落を防ぐように構成したことを特徴とするノンステープルケース。
【請求項２】
長さ面側の対向側板（１，３）の下端に連設された底板形成用フラップ（５，７）には、少なくとも両フラップの先端の突合線に跨るように直交方向に延びる切込みが形成されていることを特徴とする請求項１に記載のノンステープルケース。
【請求項３】
左右凸部を押入して係合させる切込みは、略コ字状または略Ｊ字状に形成されていることを特徴とする請求項１に記載のノンステープルケース。
【考案の詳細な説明】
【技術分野】
【０００１】
本考案は、根菜などの比較的重い青果物を収納するに好適なノンステープルケースに関する。
【背景技術】
【０００２】
従来、青果物を箱詰めして出荷する場合に使用する包装箱には、工場生産され組み立てた状態で納品されたＪＩＳ−Ｚ１５０７の０２０１形式（旧Ａ−１形）の箱が多用されている。この０２０１形式の箱は、長方形状の４側板を一方向に連接し、その４側板の上下に箱の底面及び天面を封鎖するため、それぞれ内フラップ及び外フラップを連接してなるほぼ直方体形状の箱である。この箱に、大きさが不揃いであったり、重量のある青果物を収納して出荷されるので、収納物の重みでケースが歪んだり、底面のフラップが開いて商品が脱落することがないように、フラップの重なった部分をテープ、ステッチャとよばれる金具等の封緘用副資材により接合して出荷していた。
【考案の開示】
【考案が解決しようとする課題】
【０００３】
しかし、箱の封緘作業には、テープや封緘金具とその打込みマシンを用意する必要がある。したがって封緘用副資材のコストがかかる上、底面に封緘金具を打ち込むことにより、箱内の収納物を傷つけてしまうおそれがある。また使用後の金具は段ボール紙などの可燃物と一緒に焼却することができず、分別の必要がある。
【０００４】
そればかりか、一般に量販店で青果物の箱は陳列時に開封作業と使用後の解体作業などでの安全性及び簡便性が要求されている。また、封緘用副資材によるゴミの発生が量販店などでは敬遠されている。さらにまた、使用済みの箱を古紙として再利用する場合にあっても不純物として紙片から金属を分別する手間がかかり、また、箱の開梱時や、解体後の分別において金属針により怪我をすることもあり、取り扱いには特に注意を払わなければならないという不具合がある。
【０００５】
本考案の目的は、テープや封緘金具等の封緘用副資材を使用することなく、箱の封緘、解体作業を簡単に、安全性が高い状態で行うことができるようにすると同時に、にんじん、ジャガイモ、大根等の比較的重い青果物の荷重がかかっても、ケースが歪んだり底面が開いたりすることを防止できる青果物用ノンステープルケースを提供するものである。
【課題を解決するための手段】
【０００６】
上記課題を解決するために第1の考案は、長さ面側の対向側板（１，３）と、幅面側の対向側板（２，４）と、これらの対向側板の下端にそれぞれ連設された底板形成用フラップ（５，７，６，８）と、同じくこれらの対向側板（１，３，２，４）の上端にそれぞれ連設された上蓋形成用フラップ（９，１１，１０，１２）とを備えて成る平面形状が矩形の厚紙製包装箱において、前記長さ面側の対向側板（１，３）の下端に連設された底板形成用フラップ（５，７）は幅面側の対向側板（２，４）の幅方向中央部において先端同士が、組立て時に互いに突合状態となる大きさに形成し、前記幅面側の対向側板（２，４）の下端に連設された底板形成用フラップ（６，８）は一対のショートフラップとして互いに突合できない大きさに形成し、かつ該ショートフラップは付け根の連設線と平行に罫線を形成すると共に、該ショートフラップの先端に中央凸部と左右凸部とを設け、前記長さ面側の対向側板（１，３）に連設した底板形成用フラップ（５，７）には、組立て時に前記ショートフラップ（６，８）と重合する位置に、ショートフラップの先端に設ける左右凸部を押入して係合させる切込みと、中央凸部を押入して係合させる切込みとを設け、先に閉じる底板形成用フラップ（７）の前記３つの切込みに、中央凸部と左右凸部をそれぞれ係合することで、先に閉じる長さ面側の底板形成用フラップ相互の突合線のゆがみと開きをなくし、収納する商品の脱落を防ぐように構成したことを特徴とするノンステープルケースである。
【０００７】
請求項２の考案は、長さ面側の対向側板（１，３）の下端に連設された底板形成用フラップ（５，７）には、少なくとも両フラップの先端の突合線に跨るように直交方向に延びる切込みが形成されている特徴とする第１考案に記載のノンステープルケースである。
【０００８】
請求項３の考案は、左右凸部を押入して係合させる切込みは、略コ字状または略Ｊ字状に形成されていることを特徴とする第１考案に記載のノンステープルケースである。
【考案の効果】
【０００９】
本考案の包装箱は、底板の組立てのためにテープや封緘金具等の封緘用副資材は不要であり、また底に比較的重い青果物の荷重がかかっても、ケースが歪んだり、底面が開いたりすることを防止できる。
【考案を実施するための最良の形態】
【００１０】
次に、本考案の実施の形態を図面に基づいて説明する。この包装箱は、箱底面に相当な荷重がかかる青果物を出荷する場合に好適であるが、本考案の箱は青果物に限定されるものではない。
【００１１】
図１は、本考案の第１の実施例を示す段ボール箱のシート（ブランクと称する）を示すものである。このブランクは、一例としてほぼ長方形をした１枚の段ボールシートより形成されている。
【００１２】
本実施の形態に示す箱は、前記シートの中央部に、箱の対向する各側面のうち長さ面を構成する一組の長辺側の側板１、３と、幅面を構成する一組の短辺側の側板２、４が折線を介し一方向に連接され、一対の短辺側の側板２、４にはその中央上部に手掛け穴が設けられている。またこれらの各側板１、３及び２、４の下端には底板形成用フラップ５、７及び６，８が折線を介して連接されている。そして各側板１、３および２、４の上部には上蓋形成用フラップ９、１１及び１０、１２が折線を介して連接されている。
【００１３】
底板形成用フラップ５、７及び６，８には、つぎのような底面を固定するロックが形成されている。すなわち図１の通り４枚のフラップは全て同じ長さに形成されており、かつ、長辺側の対向側板１，３の下端に連設された底板形成用フラップ５，７は矩形で、組立て時において、短辺側の対向側板２，４の幅方向中央部において先端同士が互いに突合状態となる大きさに形成されている（図４又は図６参照）。
幅面側の一対のフラップ６，８は、ショートフラップに形成されている。そのショートフラップ６，８は、付け根の連設線と平行に三つ折りできる罫線ｂが設けられている。また、該ショートフラップの先端は凹凸形に形成され、左右凸部１３ａ，１３ｃと、中央凸部１３ｂとからなる差し込み用凸部が設けられている。
【００１４】
一方、長さ面側の他方のフラップ５、７には、左右凸部１３ａ，１３ｃと、中央凸部１３ｂを押入する切込孔１４ａ、１４ｂを設けている。この切込孔１４ａ、１４ｂは、組み立てたときに、一対の底板形成用フラップ６，８と重合する位置に形成されている。またこの切込孔１４ａ、１４ｂは、後述のように底板形成用フラップ６，８の先端の突合線Ｃに対し略直交する位置に形成されている。
【００１５】
図１のように、長辺側の上蓋形成用フラップ９には、その一端よりに斜罫線１５と切除部１６を有し、隣接のフラップ１０には切除部１６に対応する切除部１７と連設線と平行な罫線１８を設けている。符号１９は、側板１の端部に連接した糊代である。
【００１６】
次にブランクの組み立て方について説明する。まず４枚の側板１，３，２，４を糊代を介して角筒状に連繋する。その後、長辺側の底板形成用フラップ５，７を先に閉じ、底板形成用フラップ５，７を図２のように互いに突合状態にする。
次にショートフラップ６，８の連設線及び罫線ｂより折り曲げ、該フラップの先端の左右凸部１３ａ，１３ｃと中央凸部１３ｂとからなる差し込み凸部を、前記底板形成用フラップ５、７の切込孔１４ａ、１４ｂに押し込むことで係合させてロックする（図２〜図４参照）。
【００１７】
このようにして底面を組み立てた後、上蓋形成用フラップ９，１１および１０，１２を広げ、箱内に青果物を収容する。フラップ９，１１，１０，１２により天面を封緘する場合は、（図７〜図９参照）
図に示すように、まず長辺側のフラップ９を内側に９０度折り曲げ、続いて短辺側のフラップ１２をその上に重ねるように折り曲げる。続いて、短辺側フラップ１２の上に重なるように長辺側のフラップ１１を折り曲げ、最後に残りのフラップ１０を罫線１８によりを前記フラップ９と１１の上に重ねるように折り曲げると共に、前記フラップ９の一端に設けた切除部１６に、これと隣接するフラップ１０の他端に設けた切除部１７を差し込むことにより天面のフラップ９〜１２を互いに係合する。このようにして箱の天面を封緘するときは、天面フラップの重ね合せ部（天面の四隅）を封緘金具で止めて封緘した場合と同様に、内外フラップの開きを防止でき、そればかりでなく内部に野菜が一杯に詰まっていても、内部の野菜を傷つけることなく封緘作業が行える。
【００１８】
なお、箱天面を開封するときは、フラップ１０の切除部先端を把持して上方向に引き上げると、罫線１８を折線としてフラップが折り曲がりながら、さらに上方に引き上げられるため、切除部１６と１７のロックが外れて、箱の天面を容易に開封することができる。
【００１９】
なお図５は第２の実施例を示す段ボール箱のシート（ブランクと称する）を示すものである。この第２の実施例と前記第１の実施例とが異なる点は、底板形成用フラップ５、７及び６，８に設ける切込孔の形状である。すなわち第１の実施例では切込孔１４ａを一例として略コ字形にした。これに対して第２の実施例である本例では略Ｊ字状に切り込むことにより形成されている。また、第１の実施例においてはショートフラップ６，８に付け根の連設線と平行に三本の罫線ｂが設けられているが、罫線は３本に限るものでない、本例のように１本でもよい。図６は第２の実施例の底面組立て図である。
【００２０】
以上詳しく述べたように本考案の箱の構成によれば、封緘金具やテープ等の封緘用資材の使用を廃止して、箱組立時の作業性と廃棄時の分別作業性や環境問題を解決すると同時に、底面に相当の荷重がかかっても底板形成用フラップ５，７の突合が崩れたり、内外フラップが落ち込んで箱が開くことが防止できる封緘力の高い野菜類のノンステープルケースを提供することができるものである。
【図面の簡単な説明】
【００２１】
【図１】本考案による箱の一実施例を示すブランクの平面図。
【図２】同上実施例の箱の底面を組立てる場合の最初の斜視図。
【図３】同上実施例の箱の幅面のフラップを長さ面の切込孔に押し込む過程の斜視図。
【図４】同上押し込む途中の係合状況を示した斜視図。
【図５】本考案の他の実施例を示すブランクの平面図。
【図６】同上実施例の箱の底面を組立てる場合の押し込む過程を示した斜視図。
【図７】同上実施例の箱の上蓋を形成する途中の斜視図。
【図８】同上実施例の箱の上蓋を形成する途中の斜視図。
【図９】同上実施例の箱の上蓋を形成した完成状態の斜視図。
【符号の説明】
【００２２】
１、２、３、４  側板
５、８  底板形成用フラップ
６、７  ショートフラップ
９、１０、１１，１２  上蓋形成用フラップ
１３ａ、１３ｃ  左右凸部
１３ｂ  中央凸部
１４ａ、１４ｂ  切込孔
Ｃ  突合線
【図１】
0003146576.tif 000003
【図２】
0003146576.tif 000004
【図３】
0003146576.tif 000005
【図４】
0003146576.tif 000006
【図５】
0003146576.tif 000007
【図６】
0003146576.tif 000008
【図７】
0003146576.tif 000009
【図８】
0003146576.tif 000010
【図９】
0003146576.tif 000011